(57)【要約】【課題】患者に対し検査結果に関する適切な情報を適時に提供することができる情報通知装置、情報通知方法、およびプログラムを提供する。【解決手段】送受信部１０１は、患者ＩＤに対応付けられた検査情報を取得し、検査値変動判断部１０３は、取得した検査情報と、検査情報記憶部１２０に記憶する前回の検査情報とを対比した対比結果が所定の基準以上に変動したか否かを判断し、ショートメッセージ生成部１０６は、対比結果が所定の割合以上に変動したと判断した場合に、ショートメッセージを生成し、送受信部１０１は、生成したショートメッセージを、電話番号を宛先として送信する。【選択図】図1
2020030533.tif 000002
【特許請求の範囲】
【請求項１】
患者を識別する患者ＩＤと、前記患者の病名と、電話番号と、を対応付けて記憶する患者情報記憶手段と、
前記患者ＩＤと、検査日と、検査情報と、を対応付けて記憶する検査情報記憶手段と、
前記患者ＩＤに対応付けられた検査情報を取得する情報取得手段と、
前記情報取得手段によって取得した前記検査情報と、前記検査情報記憶手段に記憶する前回の検査情報とを対比した対比結果が所定の基準以上に変動したか否かを判断する検査値変動判断手段と、
前記検査値変動判断手段によって前記対比結果が所定の基準以上に変動したと判断した場合に、ショートメッセージを生成するショートメッセージ生成手段と、
前記ショートメッセージ生成手段によって生成した前記ショートメッセージを、前記電話番号を宛先として送信するショートメッセージ送信手段と、
を備えることを特徴とする情報通知装置。
【請求項２】
前記患者情報記憶手段は、前記患者ＩＤに対応付けた通知可否情報、をさらに記憶し、
前記患者ＩＤに対応付けられた前記通知可否情報を前記患者情報記憶手段から取得し、取得した前記通知可否情報が通知可であるか否かを判断する通知可否判断手段、をさらに備え、
前記ショートメッセージ生成手段は、前記通知可否判断手段によって通知可であると判断した場合に、ショートメッセージを生成すること、を特徴とする請求項１に記載の情報通知装置。
【請求項３】
前記病名は、糖尿病または糖尿病予備軍であり、
前記検査情報は、ＨｂＡ１ｃの検査値であり、
前記検査値変動判断手段は、前記情報取得手段によって取得したＨｂＡ１ｃの検査値が、前記検査情報記憶手段に記憶する前回のＨｂＡ１ｃの検査値より＋０．４以上に変動したか否かを判断すること、と特徴とする請求項１または請求項２に記載の情報通知装置。
【請求項４】
前記検査値変動判断手段は、前記対比結果が所定の基準以上に変動したいか否かの判断に代えて、前記情報取得手段によって取得したＨｂＡ１ｃの検査値が６．５以上であるか否かを判断すること、と特徴とする請求項１または請求項２に記載の情報通知装置。
【請求項５】
前記病名は、糖尿病であり、
前記検査情報は、ＨｂＡ１ｃの検査値であり、
前記患者情報記憶手段は、前記病名に対する投薬がされているか否かを示す投薬有無情報、をさらに記憶し、
前記患者ＩＤに対応付けられた糖尿病に対する投薬有無情報を前記患者情報記憶手段から取得し、取得した前記投薬有無情報が投薬有りか否かを判断する投薬判断手段、をさらに備え、
前記ショートメッセージ生成手段は、前記検査値変動判断手段によって前記対比結果が所定の基準以上に変動したと判断し、かつ、前記投薬判断手段によって投薬有りと判断した場合に、ショートメッセージを生成すること、を特徴とする請求項１に記載の情報通知装置。
【請求項６】
前記患者情報記憶手段は、前記患者ＩＤに対応付けて、前記患者を担当する医師の電話番号を、さらに記憶し、
前記ショートメッセージ生成手段は、前記検査値変動判断手段によって前記結果が所定の割合以上に変動したと判断し、かつ、前記投薬判断手段によって投薬有りと判断した場合に、前記医師向けのショートメッセージを生成し、
前記ショートメッセージ送信手段は、前記ショートメッセージ生成手段によって生成された前記ショートメッセージを、前記医師の電話番号を宛先として送信すること、を特徴とする請求項５に記載の情報通知装置。
【請求項７】
前記患者情報記憶手段は、前記患者ＩＤに対応付けて、前記ショートメッセージ送信手段によって送信された前記ショートメッセージに対し返信されたショートメッセージを受信した日時である受信日時を、さらに記憶し、
前記患者が操作する携帯端末装置から返信されたショートメッセージを受信し、受信した日時を前記患者情報記憶手段に格納する受信手段、をさらに備えることを特徴とする請求項１〜６のいずれか１つに記載の情報通知装置。
【請求項８】
患者を識別する患者ＩＤと、前記患者の病名と、電話番号と、を対応付けて記憶する患者情報記憶手段と、前記患者ＩＤと、検査日と、検査情報と、を対応付けて記憶する検査情報記憶手段と、を備えるコンピュータで実行される情報通知方法であって、
前記患者ＩＤに対応付けられた検査情報を取得する情報取得ステップと、
前記情報取得ステップによって取得した前記検査情報と、前記検査情報記憶手段に記憶する前回の検査情報とを対比した対比結果が所定の基準以上に変動したか否かを判断する検査値変動判断ステップと、
前記検査値変動判断ステップによって前記対比結果が所定の基準以上に変動したと判断した場合に、ショートメッセージを生成するショートメッセージ生成ステップと、
前記ショートメッセージ生成ステップによって生成した前記ショートメッセージを、前記電話番号を宛先として送信するショートメッセージ送信ステップと、
を含むことを特徴とする情報通知方法。
【請求項９】
前記請求項８に記載の情報通知方法をコンピュータに実行させることを特徴としたプログラム。
【発明の詳細な説明】
【技術分野】
【０００１】
本発明は、情報通知装置、情報通知方法、およびプログラムに関する。
【背景技術】
【０００２】
従来、医療機関で診察を受けた患者は、症状等に応じた血液検査等を受け、その結果を医師から説明されたうえで、検査結果に応じた医薬を処方されることが一般的である。特に糖尿病等のような慢性疾患については、処方された医薬の服用とともに、患者自身での食生活や運動等の自己管理が重要である。しかし、患者は自己管理に対するモチベーションを長期間継続・維持させることが難しいという問題があった。このような問題に対応するため、患者が入力した検査データを検索条件として検索すると、その検査データに類似した他の患者の検査データが抽出され類似部分以後の状況を含めた経過データをクライアント端末に配信する技術が開示されている（特許文献１参照）。
【先行技術文献】
【特許文献】
【０００３】
【特許文献１】特開2009-205456号公報
【発明の概要】
【発明が解決しようとする課題】
【０００４】
しかしながら、上述した公報に記載した技術は、患者のモチベーションの維持に資するものの、他の患者の経過データを検索するという患者自身の操作が必要となるため、経過データ確認のタイミングが患者自身に委ねられ、確実に患者に情報を提示することができないという問題があった。
【０００５】
また、既に糖尿病のような慢性疾患と診断され、継続して薬を処方されている場合には、検査結果に応じた診察や処方薬の変更が次回の診察時となることが多く、患者の病状の変化に対し対応が遅れてしまうという問題があった。
【０００６】
本発明は、上記に鑑みてなされたものであり、患者に対し検査結果に関する適切な情報を適時に提供することができる情報通知装置、情報通知方法、およびプログラムを提供することを目的とする。
【課題を解決するための手段】
【０００７】
上述した課題を解決するために、本発明では、患者ＩＤに対応付けられた検査情報を取得し、取得した検査情報と、検査情報記憶手段に記憶する前回の検査情報とを対比した対比結果が所定の基準以上に変動したか否かを判断し、対比結果が所定の基準以上に変動したと判断した場合に、ショートメッセージを生成し、生成したショートメッセージを電話番号を宛先として送信することを特徴とする。
【発明の効果】
【０００８】
上記のように構成した本発明によれば、患者に対し検査結果に関する適切な情報を適時に提供することができるという効果を奏する。
【図面の簡単な説明】
【０００９】
【図１】本実施例にかかる情報提供システム１０の構成例を示すブロック図である。
【図２】患者情報記憶部１１０のデータ構成の一例を示す説明図である。
【図３】検査情報記憶部１２０のデータ構成の一例を示す説明図である。
【図４】情報通知装置１００で実行する情報通知処理手順を示すフローチャートである。
【図５】情報通知装置１００から患者の携帯端末装置２００に送信するショートメッセージの一例を示す説明図である。
【図６】情報通知装置１００から患者または担当医師の携帯端末装置２００に送信するショートメッセージの一例を示す説明図である。
【図７】情報通知装置１００と携帯端末装置２００で実行する情報通知処理手順を示すフローチャートである。
【発明を実施するための形態】
【００１０】
以下、添付図面を参照し本発明の実施例を説明する。なお、以下の説明は、実施の形態の一例であり、本発明は、これらの実施例に限定されるものではない。
【００１１】
図１は、本実施例にかかる情報通知システム１０の構成例を示すブロック図である。情報通知システム１０は、情報通知装置１００と、携帯端末装置２００−１〜ｎと、管理サーバ３００とを備え、情報通知装置１００と携帯端末装置２００−１〜ｎは、移動体通信網等のネットワークＮを介して互いに通信可能に接続し、情報通知装置１００と管理サーバ３００は、インターネット等のネットワークＮを介して互いに通信可能に接続する。ネットワークＮは、一部または全部が有線あるいは無線であり、インターネット、イントラネット、ＬＡＮ（Local Area Network）、移動体通信網等の通信ネットワークである。
【００１２】
情報通知装置１００について説明する。情報通知装置１００は、医療機関等に設置された、医師や事務担当者等が操作する通常のコンピュータであり、患者情報記憶部１１０と、検査情報記憶部１２０と、送受信部１０１と、入出力部１０２と、検査値変動判断部１０３と、投薬判断部１０４と、通知可否判断部１０５と、ショートメッセージ生成部１０６と、を備える。
【００１３】
図２は、患者情報記憶部１１０のデータ構成の一例を示す説明図である。患者情報記憶部１１０は、患者に関する情報を記憶する。より具体的には、患者情報記憶部１１０は、患者を識別する情報である患者ＩＤと、病名と、投薬有無情報と、患者電話番号と、通知可否情報と、担当医師名と、医師電話番号と、送信日時と、受信日時（返信）と、その他の情報とを対応付けて記憶する。病名は、患者が医師により診断された病名であり、例えば“糖尿病”等である。血液検査等の検査結果で病気とまでは診断されていなくても、正常と病気との間であるような状態、例えば、糖尿病であれば、“糖尿病予備軍”等のような文言であってもよい。
【００１４】
投薬有無情報は、病名に応じた投薬がなされているか否かを示す情報である。患者電話番号は、カルテ等から得た患者の電話番号であり、ＳＭＳ（Short Message Service）でショートメッセージを受信できる携帯電話等の番号である。通知可否情報は、患者が予め患者電話番号に対しＳＭＳでショートメッセージを送信することを許可しているか否かを示す情報である。担当医師名は、患者ＩＤに示す患者を担当する医師であり、一人または複数であってもよい。医師電話番号は、患者を担当する医師の電話番号であり、ＳＭＳでショートメッセージを受信できる携帯電話等の番号である。送信日時は、情報通知装置１００から患者電話番号にショートメッセージを送信した日時である。受信日時（返信）は、患者に送信したショートメッセージに対し患者からのショートメッセージの返信を受信した日時である。なお受信日時は、患者から電話での返信があった日時であってもよい。送信日時と受信日時は、患者ＩＤに対応付けて時系列に複数記憶してもよい。その他の情報としては、患者名や家族連絡先等を記憶してもよい。
【００１５】
図３は、検査情報記憶部１２０のデータ構成の一例を示す説明図である。検査情報記憶部１２０は、患者ごとの検査に関する情報を記憶する。より具体的には、検査情報記憶部１２０は、患者ＩＤと、検査日時と、検査情報と、その他の情報とを対応付けて記憶する。検査日時は、患者が検査を受けた日時である。検査日時に代えて検査日であってもよい。検査情報は、血液検査等の検査結果であり、例えば糖尿病であるか否かを判断するHbA1c（糖化ヘモグロビンがどのくらいの割合で存在しているかをパーセント（％）で表したもの）の検査値やその他の検査値である。検査日時と検査情報とは、患者ＩＤに対応付けて複数記憶する。
【００１６】
送受信部１０１は、携帯端末装置２００とネットワークＮを介して接続し、ショートメッセージを送受信する。また送受信部１０１は、携帯端末装置２００から発信された通話を受信する。送受信部１０１は、管理サーバ３００とネットワークＮを介して接続し、データを送受信する。
【００１７】
入出力部１０２は、入力部と出力部とからなり、入力部はキーボードやマウス、マイクロフォン、ＵＳＢメモリを接続するインターフェースであるＵＳＢポート、ＳＤカードを挿入するＳＤカードスロット等であり、出力部はディスプレイ、スピーカ等である。その他の入出力装置であってもよい。入出力部１０２は、ＵＳＢメモリやＳＤカードからデータの入力を受付ける。入出力部１０２は、患者情報記憶部１１０に記憶する患者に関する情報や検査情報記憶部１２０に記憶する検査に関する情報等を画面に表示したり、画面に表示した情報に対する操作を受付ける。
【００１８】
検査値変動判断部１０３は、送受信部１０１によって受信した検査結果のデータ、または入出力部１０２によって入力を受付けた検査結果のデータと、検査情報記憶部１２０に記憶する前回の検査結果から患者ごとに今回と前回の検査結果を対比し、対比結果が所定の基準以上に変動したか否かを判断する。検査値変動判断部１０３は、今回の検査結果が所定の基準の範囲内か否かを判断する。
【００１９】
投薬判断部１０４は、患者情報記憶部１１０から患者ＩＤに対応付けられた投薬有無情報を取得し、患者に対し通知対象である病名に対する投薬がされているか否かを判断する。
【００２０】
通知可否判断部１０５は、検査値変動判断部１０３によって対比結果が所定の基準以上に変動したと判断した場合、または、今回の検査結果が所定の基準の範囲内でないと判断した場合に、患者情報記憶部１１０から患者ＩＤに対応付けられた通知可否情報を取得し、患者に対しショートメッセージによる通知可であるか否かを判断する。
【００２１】
ショートメッセージ生成部１０６は、検査値変動判断部１０３によって対比結果が所定の基準以上に変動したと判断した場合、または、今回の検査結果が所定の基準の範囲内でないと判断した場合で、かつ、通知判断部１０５によって通知可否情報が通知可である場合、検査値変動判断部１０３で算出した対比結果に応じたショートメッセージを生成する。
【００２２】
携帯端末装置２００−１〜ｎは、医療機関を受診する患者または医師が操作する、１または複数のスマートフォン、タブレット端末、ノート型パーソナルコンピュータ等であり、患者や医師が携帯でき、少なくともショートメッセージを送受信できれば、どのようなものであってもよい。さらに通話できてもよい。携帯端末装置２００−１〜ｎは、情報通知装置１００から送信されたショートメッセージの内容を利用者の操作に応じ表示画面に表示する。
【００２３】
管理サーバ３００は、検査会社等において担当者が操作するサーバであり、管理サーバ３００は、１または複数の情報通知装置１００とネットワークＮを介して接続する。管理サーバ３００は、医療機関を識別する医療機関ＩＤごとに、患者ＩＤと検査日と検査結果とを対応付けて記憶する、図示しない検査情報記憶部を備える。管理サーバ３００は、検査を依頼した医療機関でのデータの受け入れ方に応じ、医療機関ごとの検査結果をメールに添付して送信、またはネットワークＮを介しデータとして送信する。もしくは、医療機関ごとの検査結果のデータをＵＳＢメモリやＳＤカードに記憶し医療機関に届けてもよい。
【００２４】
上述のように構成された情報通知システム１０で実行する情報通知処理について説明する。図４は、情報通知装置１００で実行する情報通知処理手順を示すフローチャートである。
【００２５】
送受信１０１は、管理サーバ３００から送信された検査情報を受信し取得する（ステップＳ４０１）。送受信部１０１に代えて入出力部１０２のＵＳＢポートに接続されたＵＳＢメモリやＳＤカードスロットに挿入されたＳＤカードに記憶した検査情報を取得してもよい。検査値変動判断部１０３は、検査情報から患者ＩＤごとの検査値を取得する（ステップＳ４０２）。例えば、糖尿病に関する通知をする場合は、“HbA1c”の検査値を取得する。検査値変動判断部１０３は、患者ＩＤに対応付けられた前回の検査値を検査情報記憶部１２０から取得する（ステップS４０３）。
【００２６】
検査値変動判断部１０３は、今回の検査値と前回の検査値を対比する（ステップＳ４０４）。検査値変動判断部１０３は、対比結果が所定の基準以上に変動したか否かを判断する（ステップＳ４０５）。例えば、運動や食事等の注意喚起において前回と今回の“HbA1c”の検査値の変動が“+0.4”以上を通知対象とする場合、前回の検査値“6.7”、今回の検査値“7.2”で、対比結果が“+0.5”であれば、所定の基準以上に変動したと判断する。また前回の検査値に関わらず、今回の検査値が基準値“6.5”以上の場合は通知対象と判断してもよい。低血糖発作の注意喚起において前回と今回の“HbA1c”の検査値の変動が“-1.0”以上を通知対象とする場合、前回の検査値“6.9”から今回の検査値“5.9”で、対比結果が“-1.0”でれば、所定の基準以上に変動したと判断する。なお、“HbA1c”の検査値と他の検査値とを組合わせて通知対象とするか否かを判断するようにしてもよい。対比結果が所定の基準以上に変動していないと判断した場合（ステップＳ４０５：Ｎｏ）、ステップＳ４１０に進む。
【００２７】
対比結果が所定の基準以上に変動したと判断した場合（ステップＳ４０５：Ｙｅｓ）、投薬判断部１０４は、患者に投薬ありか否かを判断する（ステップＳ４０６）。より具体的には、投薬判断部１０４は、患者情報記憶部１１０に記憶する患者ＩＤに対応付けられた病名に通知対象病名（例えば“糖尿病”または“糖尿病予備軍”等）が格納され、かつ、当該病名に対応付けられた投薬有無情報に投薬“有”が格納されているか否かを判断する。通知可否判断部１０５は、通知可か否かを判断する（ステップＳ４０７）。より具体的には、通知可否判断部１０５は、患者ＩＤに対応付けられた通知可否情報を患者情報記憶部１１０から取得し、取得した通知可否情報に通知“可”が格納されているかを判断する。
【００２８】
ショートメッセージ生成部１０６は、ショートメッセージを生成する（ステップＳ４０８）。より具体的には、ショートメッセージ生成部１０６は、患者の通知可否情報が“可”に場合に、前回と今回の検査値の対比結果（または今回の検査値）、投薬の有無に応じたショートメッセージを生成する。なお、緊急の対応が必要な場合、患者の通知可否情報が“不可”であってもショートメッセージを生成するようにしてもよい。ショートメッセージは、検査日や検査値、コメント、担当医師名、その他の情報等の一部または全部を含む。
【００２９】
図５は、情報通知装置１００から患者の携帯端末装置２００に送信するショートメッセージの一例を示す説明図である。ショートメッセージ例（ａ）には、検査情報記憶部１２０から取得した検査日、検査値、対比結果に応じたコメント、患者情報記憶部１１０に記憶する担当医指名を記載する。（ａ）のコメントは、運動や食事の注意喚起の基準以上に検査値が変動した場合のコメントであり、患者自身での運動や食事に対する自己管理を促すものである。
【００３０】
ショートメッセージ例（ｂ）は、さらに“了解→返信してください。”の文言を加えている。このような文言に応じて患者がショートメッセージを返信した場合には、情報通知装置１００から送信されたショートメッセージを患者が認識していることを医療機関側でも把握することができる。ショートメッセージ例（ｃ）は、さらに“了解→054-***-****”の文言を加えている。患者がショートメッセージに記載された電話番号をクリックすることによって簡単に医療機関に電話することができ、医療機関側でも情報通知装置１００から送信されたショートメッセージを患者が認識していることを把握することができる。なお（ｂ）のショートメッセージの返信と（ｃ）の電話番号への発信の両方をショートメッセージに記載してもよい。
【００３１】
図６は、情報通知装置１００から患者または担当医師の携帯端末装置２００に送信するショートメッセージの一例を示す説明図である。ショートメッセージ例（ｄ）は、患者に送信するショートメッセージ例であり、検査日、検査値、対比結果に応じたコメント、担当医師名、医療機関等の電話番号等を記載する。（ｄ）のコメントは、低血糖発作の注意喚起の基準以上に検査値が変動した場合のコメントであり、低血糖発作が起きる可能性があるため、重要度が高く、患者への低血糖発作の注意喚起と至急医療機関を受診することを促すものである。
【００３２】
ショートメッセージ例（ｅ）は、担当医師に送信するショートメッセージであり、患者名、検査日、検査値、前回検査日、前回検査値、対比結果に応じたコメント、患者電話番号等を記載する。次回の定期診断前に対応が必要な場合には、患者本人とともに担当医師にもショートメッセージを送信することで、検査値の変化に適切に対応することができる。これにより、緊急の対応が必要な場合は患者とともに医師にもショートメッセージが送信される一方、緊急の対応が必要でない場合には、患者のみにショートメッセージが送信され医師へのショートメッセージは送信されないので、簡易な仕組みで緊急対応をフィルタリングすることができる。
【００３３】
送受信部１０１は、電話番号を宛先としてショートメッセージを送信する（ステップＳ４０９）。検査値変動判断部１０３は、患者ＩＤに対応付けて検査日時と検査情報を検査情報記憶部１２０に格納する（ステップＳ４１０）。検査値変動判断部１０３は、すべての検査情報の処理が終了したか否かを判断する（ステップＳ４１１）。すべての検査情報の処理が終了していないと判断した場合は（ステップＳ４１１：Ｎｏ）、ステップＳ４０２に戻る。すべての検査情報の処理が終了したと判断した場合は（ステップＳ４１１：Ｙｅｓ）、処理を終了する。
【００３４】
このように、患者それぞれの検査結果を所定の基準で判断し、日常生活の注意や緊急な対応が必要な場合は、検査情報が得られた時点で通知することができるため、次回の診察を待たず患者自身や医療関係者がタイムリーに対応することができ、治療効果が向上する。特に糖尿病での低血糖発作は命に関わる場合もあり、適切な対応を行うための通知を早急に漏れなく実施することができる。また、ＳＭＳでショートメッセージを送信することによって、患者はメールや専用アプリ等に比べ簡便な操作でメッセージ内容を確認できるとともに、患者が携帯電話のキャリアを変更しても電話番号は変更しないことが多いため、患者本人に届く可能性が高くなる。
【００３５】
他の実施例として、通知先を患者自身のみでなく、家族等患者の関係者を通知先として患者情報記憶部１１０に格納しショートメッセージを送信してもよい。患者が高齢等の場合は、関係者にも通知することによって患者の病気に対するフォローや見守りを実施することができる。
【００３６】
次に、情報通知システム１０で実行する情報通知処理（患者からの応答）について説明する。図７は、情報通知装置１００と携帯端末装置２００で実行する情報通知処理手順を示すフローチャートである。
【００３７】
携帯端末装置２００は、情報通知装置１００から送信されたショートメッセージを受信する（ステップＳ７０１）。かかるショートメッセージは、図４のステップＳ４０９にて送信されたショートメッセージである。携帯端末装置２００は、ショートメッセージを表示する（ステップＳ７０２）。画面に表示されるショートメッセージは、例えば図５に示すショートメッセージ例（ｂ）である。携帯端末装置２００は、利用者の操作に応じショートメッセージに対する返信としてショートメッセージを送信する（ステップＳ７０３）。例えば、“見ました”等のメッセージを送信する。
【００３８】
情報通知装置１００の送受信部１０１は、携帯端末装置２００から送信されたショートメッセージを受信する（ステップＳ７０４）。送受信部１０１は、ショートメッセージを受信した日時を患者情報記憶部１１０に格納する（ステップＳ７０５）。なお、情報通知装置１００から送信したショートメッセージと、そのショートメッセージに対する返信のショートメッセージは、ショートメッセージそれぞれに対応する識別情報を含める等の通常のＳＭＳの機能によって、情報通知装置１００から送信したショートメッセージに応答したショートメッセージを受信した受信日時（返信）を患者情報記憶部１１０に格納することができる。
【００３９】
入出力部１０２は、利用者の操作に応じ、患者情報記憶部１１０に記憶する患者ＩＤと、送信日時と、受信日時とを取得し、患者ごとのショートメッセージの送信状況と受信状況を画面に表示する（ステップＳ７０６）。送信状況と受信状況に加え、検査日、検査値、前回検査日、前回検査値を検査情報記憶部１２０から取得し、一覧としてもよい。
【００４０】
このように、患者の操作する携帯端末装置２００に送信したショートメッセージに対する応答状況を一覧として画面で確認することができるため、ショートメッセージの送信および受信の状況を容易に確認することができる。緊急を要する状況でショートメッセージに対する患者からの受信が記憶されていない場合は、さらに、患者に対するフォローを行うことができる。また、ショートメッセージの送信および受信の状況を所定の時間ごとにチェックし、患者から返信のショートメッセージを受信していない場合に、アラームを画面に表示するようにしてもよい。
【００４１】
他の実施例として、図５のショートメッセージ例（ｃ）のように、ショートメッセージに電話番号を記載している場合、ショートメッセージによる返信に代えて、電話番号で発信した通話であってもよい。情報通知装置１００側は、自動応答機能によって着信した電話番号を取得し、取得した電話番号に対応対応付けて受信日時に着信した日時を記憶する。
【００４２】
他の実施例として、投薬判断部１０４は、病名に応じた投薬有無情報で判断するのではなく、患者に処方されているすべての医薬から、病名に関連する投薬の有無を判断するようにしてもよい。その判断には、多くの臨床データを収集したビッグデータで学習したＡＩ（人口知能）を用いてもよい。
【００４３】
上述した実施例にかかる情報通知装置１００のハードウェア構成は、ＣＰＵ（Central Processing Unit）、ＲＯＭ（Read Only Memory）やＲＡＭ（Random Access Memory）、ＨＤＤ（Hard Disk Drive）等の外部記憶装置、通信制御装置等を備えた通常のコンピュータであり、ＲＯＭやＲＡＭ、ＨＤＤ等に記憶されたプログラムをＣＰＵが読み出し動作させることによって、上述した構成や機能を実現する。
【００４４】
情報通知装置１００で動作するプログラムは、インターネット等のネットワークＮに接続されたコンピュータ上に格納しておき、ネットワークＮ経由でダウンロードさせることにより提供したり、インストール可能な形式又は実行可能な形式のファイルでＣＤ−ＲＯＭ、ＤＶＤ、ＵＳＢメモリ、ＳＤカード等のコンピュータで読取り可能な記録媒体に記録し提供してもよい。また、上述した機能や処理を実現するプログラムは、ＡＰＩ（Application Programming Interface）やＳａａＳ（Software as a Service）、クラウドコンピューティングという利用形態で提供してもよい。
【００４５】
なお、本発明は、上述した実施例そのままに限定されるものではなく、必ずしも物理的に図示のように構成されている必要はない。また、本発明は、実施例で説明した構成要素の全部または一部を、各種の負荷や使用状況などに応じ、任意の単位で機能的または物理的に分割、統合、入替、変形または削除して構成することができる。
【符号の説明】
【００４６】
１０…情報通知システム、１００…情報通知装置、１０１…送受信部、１０２…入出力部、１０３…検査値変動判断部、１０４…投薬判断部、１０５…通知可否判断部、１０６…ショートメッセージ生成部、１１０…患者情報記憶部、１２０…検査情報記憶部、２００…携帯端末装置、３００…管理サーバ
【図１】
2020030533.tif 000003
【図２】
2020030533.tif 000004
【図３】
2020030533.tif 000005
【図４】
2020030533.tif 000006
【図５】
2020030533.tif 000007
【図６】
2020030533.tif 000008
【図７】
2020030533.tif 000009
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
患者を識別する患者ＩＤと、前記患者の病名と、電話番号と、前記病名に対する投薬がされているか否かを示す投薬有無情報と、を対応付けて記憶する患者情報記憶手段と、
前記患者ＩＤと、検査日と、検査情報と、を対応付けて記憶する検査情報記憶手段と、
前記患者ＩＤに対応付けられた検査情報を取得する情報取得手段と、
前記情報取得手段によって取得した前記検査情報と、前記検査情報記憶手段に記憶する前回の検査情報とを対比した対比結果が所定の基準以上に変動したか否かを判断する検査値変動判断手段と、
前記患者ＩＤに対応付けられた前記病名に対する前記投薬有無情報を前記患者情報記憶手段から取得し、取得した前記投薬有無情報が投薬有りか否かを判断する投薬判断手段と、
前記検査値変動判断手段によって前記対比結果が所定の基準以上に変動したと判断し、かつ、前記投薬判断手段によって投薬有りと判断した場合に、ショートメッセージを生成するショートメッセージ生成手段と、
前記ショートメッセージ生成手段によって生成した前記ショートメッセージを、前記電話番号を宛先として送信するショートメッセージ送信手段と、
を備えることを特徴とする情報通知装置。
【請求項２】
前記患者情報記憶手段は、前記患者ＩＤに対応付けた通知可否情報、をさらに記憶し、
前記患者ＩＤに対応付けられた前記通知可否情報を前記患者情報記憶手段から取得し、取得した前記通知可否情報が通知可であるか否かを判断する通知可否判断手段、をさらに備え、
前記ショートメッセージ生成手段は、前記通知可否判断手段によって通知可であると判断した場合に、ショートメッセージを生成すること、を特徴とする請求項１に記載の情報通知装置。
【請求項３】
前記患者情報記憶手段は、前記患者ＩＤに対応付けて、前記ショートメッセージ送信手段によって送信された前記ショートメッセージに対し返信されたショートメッセージを受信した日時である受信日時を、さらに記憶し、
前記患者が操作する携帯端末装置から返信されたショートメッセージを受信し、受信した日時を前記受信日時として前記患者情報記憶手段に格納する受信手段、をさらに備えることを特徴とする請求項１または請求項２に記載の情報通知装置。
【請求項４】
患者を識別する患者ＩＤと、前記患者の病名と、前記病名に対する投薬がされているか否かを示す投薬有無情報と、前記患者を担当する医師の電話番号と、を対応付けて記憶する患者情報記憶手段と、
前記患者ＩＤと、検査日と、検査情報と、を対応付けて記憶する検査情報記憶手段と、
前記患者ＩＤに対応付けられた検査情報を取得する情報取得手段と、
前記情報取得手段によって取得した前記検査情報と、前記検査情報記憶手段に記憶する前回の検査情報とを対比した対比結果が所定の基準以上に変動したか否かを判断する検査値変動判断手段と、
前記患者ＩＤに対応付けられた前記病名に対する前記投薬有無情報を前記患者情報記憶手段から取得し、取得した前記投薬有無情報が投薬有りか否かを判断する投薬判断手段と、
前記検査値変動判断手段によって前記対比結果が所定の基準以上に変動したと判断し、かつ、前記投薬判断手段によって投薬有りと判断した場合に、前記医師向けのショートメッセージを生成するショートメッセージ生成手段と、
前記ショートメッセージ生成手段によって生成した前記ショートメッセージを、前記医師の電話番号を宛先として送信するショートメッセージ送信手段と、
を備えることを特徴とする情報通知装置。
【請求項５】
前記病名は、糖尿病または糖尿病予備軍であり、
前記検査情報は、ＨｂＡ１ｃの検査値であり、
前記検査値変動判断手段は、前記情報取得手段によって取得したＨｂＡ１ｃの検査値が、前記検査情報記憶手段に記憶する前回のＨｂＡ１ｃの検査値より＋０．４以上に変動したか否かを判断すること、と特徴とする請求項１〜４のいずれか１つに記載の情報通知装置。
【請求項６】
前記検査値変動判断手段は、前記対比結果が所定の基準以上に変動したいか否かの判断に代えて、前記情報取得手段によって取得したＨｂＡ１ｃの検査値が６．５以上であるか否かを判断すること、と特徴とする請求項５に記載の情報通知装置。
【請求項７】
患者を識別する患者ＩＤと、前記患者の病名と、電話番号と、前記病名に対する投薬がされているか否かを示す投薬有無情報と、を対応付けて記憶する患者情報記憶手段と、前記患者ＩＤと、検査日と、検査情報と、を対応付けて記憶する検査情報記憶手段と、を備えるコンピュータで実行される情報通知方法であって、
前記患者ＩＤに対応付けられた検査情報を取得する情報取得ステップと、
前記情報取得ステップによって取得した前記検査情報と、前記検査情報記憶手段に記憶する前回の検査情報とを対比した対比結果が所定の基準以上に変動したか否かを判断する検査値変動判断ステップと、
前記患者ＩＤに対応付けられた前記病名に対する前記投薬有無情報を前記患者情報記憶手段から取得し、取得した前記投薬有無情報が投薬有りか否かを判断する投薬判断ステップと、
前記検査値変動判断ステップによって前記対比結果が所定の基準以上に変動したと判断し、かつ、前記投薬判断手段によって投薬有りと判断した場合に、ショートメッセージを生成するショートメッセージ生成ステップと、
前記ショートメッセージ生成ステップによって生成した前記ショートメッセージを、前記電話番号を宛先として送信するショートメッセージ送信ステップと、
を含むことを特徴とする情報通知方法。
【請求項８】
患者を識別する患者ＩＤと、前記患者の病名と、前記病名に対する投薬がされているか否かを示す投薬有無情報と、前記患者を担当する医師の電話番号と、を対応付けて記憶する患者情報記憶手段と、前記患者ＩＤと、検査日と、検査情報と、を対応付けて記憶する検査情報記憶手段と、を備えるコンピュータで実行される情報通知方法であって、
前記患者ＩＤに対応付けられた検査情報を取得する情報取得ステップと、
前記情報取得ステップによって取得した前記検査情報と、前記検査情報記憶手段に記憶する前回の検査情報とを対比した対比結果が所定の基準以上に変動したか否かを判断する検査値変動判断ステップと、
前記患者ＩＤに対応付けられた前記病名に対する前記投薬有無情報を前記患者情報記憶手段から取得し、取得した前記投薬有無情報が投薬有りか否かを判断する投薬判断ステップと、
前記検査値変動判断ステップによって前記対比結果が所定の基準以上に変動したと判断し、かつ、前記投薬判断ステップによって投薬有りと判断した場合に、前記医師向けのショートメッセージを生成するショートメッセージ生成ステップと、
前記ショートメッセージ生成ステップによって生成した前記ショートメッセージを、前記医師の電話番号を宛先として送信するショートメッセージ送信ステップと、
を含むことを特徴とする情報通知方法。
【請求項９】
請求項７または前記請求項８に記載の情報通知方法をコンピュータに実行させることを特徴としたプログラム。
【手続補正２】
【補正対象書類名】明細書
【補正対象項目名】０００７
【補正方法】変更
【補正の内容】
【０００７】
上述した課題を解決するために、本発明では、患者ＩＤに対応付けられた検査情報を取得し、取得した検査情報と、検査情報記憶手段に記憶する前回の検査情報とを対比した対比結果が所定の基準以上に変動したか否かを判断し、患者ＩＤに対応付けられた病名に対する投薬有無情報を患者情報記憶手段から取得し、取得した投薬有無情報が投薬有りか否かを判断し、対比結果が所定の基準以上に変動したと判断し、かつ、投薬有りと判断した場合に、ショートメッセージを生成し、生成したショートメッセージを電話番号を宛先として送信することを特徴とする。
【手続補正書】
【提出日】平成30年11月2日(2018.11.2)
【手続補正１】
【補正対象書類名】特許請求の範囲
【補正対象項目名】請求項７
【補正方法】変更
【補正の内容】
【請求項７】
患者を識別する患者ＩＤと、前記患者の病名と、電話番号と、前記病名に対する投薬がされているか否かを示す投薬有無情報と、を対応付けて記憶する患者情報記憶手段と、前記患者ＩＤと、検査日と、検査情報と、を対応付けて記憶する検査情報記憶手段と、を備えるコンピュータで実行される情報通知方法であって、
前記患者ＩＤに対応付けられた検査情報を取得する情報取得ステップと、
前記情報取得ステップによって取得した前記検査情報と、前記検査情報記憶手段に記憶する前回の検査情報とを対比した対比結果が所定の基準以上に変動したか否かを判断する検査値変動判断ステップと、
前記患者ＩＤに対応付けられた前記病名に対する前記投薬有無情報を前記患者情報記憶手段から取得し、取得した前記投薬有無情報が投薬有りか否かを判断する投薬判断ステップと、
前記検査値変動判断ステップによって前記対比結果が所定の基準以上に変動したと判断し、かつ、前記投薬判断ステップによって投薬有りと判断した場合に、ショートメッセージを生成するショートメッセージ生成ステップと、
前記ショートメッセージ生成ステップによって生成した前記ショートメッセージを、前記電話番号を宛先として送信するショートメッセージ送信ステップと、
を含むことを特徴とする情報通知方法。